(57)【特許請求の範囲】
【請求項１】
水槽と、
この水槽の内部に設けられ、洗濯物の洗い、すすぎ、及び脱水と、乾燥に供する回転槽と、
この回転槽内に温風を供給する温風供給装置と、
洗濯水を加熱するヒータとを具え、
給水、撹拌、排水及び脱水動作を実行するすすぎ行程が少なくとも１回以上行われた後、最終脱水行程を行う洗濯乾燥機であって、
前記ヒータによる洗濯水の加熱を、前記最終脱水行程直前のすすぎ行程における撹拌動作時に実行し、前記温風供給装置による温風の供給を、最終脱水行程直前のすすぎ行程における脱水動作時に実行するようにしたことを特徴とする洗濯乾燥機。
【請求項２】
水槽と、
この水槽の内部に設けられ、洗濯物の洗い、すすぎ、及び脱水と、乾燥に供する回転槽と、
この回転槽内に温風を供給する温風供給装置と、
洗濯水を加熱するヒータとを具え、
給水、撹拌、排水及び脱水動作を実行するすすぎ行程が少なくとも２回以上行われた後、最終脱水行程を行う洗濯乾燥機であって、
前記ヒータによる洗濯水の加熱を、前記最終脱水行程直前のすすぎ行程における撹拌動作時に実行し、前記温風供給装置による温風の供給を、当該ヒータによる洗濯水の加熱直前のすすぎ行程における脱水動作時に実行するようにしたことを特徴とする洗濯乾燥機。
【発明の詳細な説明】
【０００１】
【発明の属する技術分野】
本発明は、洗濯物の洗い、すすぎ、及び脱水と、乾燥ができる洗濯乾燥機に関する。
【０００２】
【発明が解決しようとする課題】
近年、洗濯乾燥機が供されている。この洗濯乾燥機は、水槽の内部に配設した回転槽に対し、該回転槽内に温風を供給する温風供給装置を具えたもので、それにより、洗濯物の洗い、すすぎ、及び脱水と、乾燥ができるようになっている。
しかしながら、この洗濯乾燥機の乾燥所要時間は長く、標準的には、乾燥を除く、洗い、すすぎ、及び脱水の所要時間の４〜６倍超ほどの時間を要するものであった。
【０００３】
本発明は上述の事情に鑑みてなされたものであり、従ってその目的は、乾燥時間を短縮できる洗濯乾燥機を提供するにある。
【０００４】
【課題を解決するための手段】
上記目的を達成するために、本発明の洗濯乾燥機は、水槽と、この水槽の内部に設けられ、洗濯物の洗い、すすぎ、及び脱水と、乾燥に供する回転槽と、この回転槽内に温風を供給する温風供給装置と、洗濯水を加熱するヒータとを具え、給水、撹拌、排水及び脱水動作を実行するすすぎ行程が少なくとも１回以上行われた後、最終脱水行程を行う洗濯乾燥機であって、前記ヒータによる洗濯水の加熱を、前記最終脱水行程直前のすすぎ行程における撹拌動作時に実行し、前記温風供給装置による温風の供給を、最終脱水行程直前のすすぎ行程における脱水動作時に実行するようにしたことを特徴とする（請求項１の発明）。
【０００５】
このものによれば、最終脱水行程直前のすすぎ行程における撹拌動作時に、洗濯水をヒータにより加熱することで生成される温水により洗濯物の温度が上げられ、回転槽内の温度も上げられる。よって、その後の乾燥が効率良くできるようになり、又、乾燥前の脱水も効率良くできるようになって、乾燥時間を短縮することが可能となる。又、これに伴い、特に冬季等で給水温度が低い場合でも、洗濯乾燥機における乾燥運転の時間を必要以上に長くしないようにできるので、乾燥運転での布傷みを低減することも可能となる。
このものでは、更に、最終脱水行程直前のすすぎ行程における脱水動作時に、温風供給装置によって回転槽内に供給される温風によって、洗濯物の温度が高く維持され、回転槽内の温度も高く維持されるので、その後の乾燥が一段と効率良くできるようになり、又、脱水自体も一段と効率良くできるようになって、洗濯乾燥機における乾燥時間、又は室内又は屋外での洗濯物の乾燥時間を一層短縮することが可能となる。加えて、この場合も、冬季等では、洗濯乾燥機から洗濯物を取出すときに、洗濯物が一層冷たくなく、更に取出しやすくなる。
【００１０】
請求項１の発明と同様な目的を達成するために、水槽と、この水槽の内部に設けられ、洗濯物の洗い、すすぎ、及び脱水と、乾燥に供する回転槽と、この回転槽内に温風を供給する温風供給装置と、洗濯水を加熱するヒータとを具え、給水、撹拌、排水及び脱水動作を実行するすすぎ行程が少なくとも２回以上行われた後、最終脱水行程を行う洗濯乾燥機であって、前記ヒータによる洗濯水の加熱を、前記最終脱水行程直前のすすぎ行程における撹拌動作時に実行し、前記温風供給装置による温風の供給を、当該ヒータによる洗濯水の加熱直前のすすぎ行程における脱水動作時に実行するにしても良い（請求項２の発明）。
このものでも、請求項１と同様な作用効果を得ることができる。特に、ヒータによる洗濯水の加熱直前のすすぎ行程における脱水動作時に、温風供給装置によって供給される温風により回転槽や洗濯物が温められるので、やはりその後の乾燥が一段と効率良くできるようになる。
【００１２】
【発明の実施の形態】
以下、本発明の第１実施例につき、図１ないし図４を参照して説明する。
まず、図２には、洗濯乾燥機、中でも縦軸形洗濯乾燥機の全体構成を示しており、外殻を成す外筐１を、外箱２と、これの最上部に装着したトップカバー３とで構成している。外箱２の内部には水槽４を配設しており、この水槽４は、有底の円筒形を成し、それを、外箱１の上部から吊下した複数本（１部のみ図示）の吊り棒５、及びこの吊り棒５にそれぞれ装着したスプリング６等から成る弾性支持機構７により、縦軸状に支持している。
【００１３】
水槽４の内部には、回転槽８を同じく縦軸状に配設している。この回転槽８も有底の円筒形を成しており、更にこの回転槽８は、外槽８ａ及び内槽８ｂの二重槽から成っていて、その外槽８ａの周側部の上部に脱水孔９を例えば横一列状に複数形成し、内槽８ｂの周側部のほゞ全域に通孔１０を多数形成している。又、この回転槽８の上端開口縁部には回転バランサ１１を装着しており、一方、外槽８ａ及び内槽８ｂの各底部の中央には、それぞれ通口１２，１３を形成している。更に、外槽８ａの底部には、図で右側の凹陥部でもって水溜部１４を形成し、この水溜部１４内に例えばシーズ線から成るヒータ１５を配設している。
【００１４】
水槽４の底部には、第１の排水口１６と第２の排水口１７とを形成しており、そのうちの第１の排水口１６に第１の排水弁１８を介して排水ホース１９を接続し、該排水ホース１９の図示しない先端部を機外に導出させている。第２の排水口１７には、第２の排水弁２０を介して連通管２１を接続し、この連通管２１を上記排水ホース１９に接続している。更に、水槽４の上部には溢水口２２を形成し、この溢水口２２を溢水管２３を介して連通管２１に接続している。
【００１５】
水槽４の底部中央には、モータ２４を水密に取付けている。このモータ２４は、この場合、アウターロータ形で、外軸２４ａを有すると共に、該外軸２４ａを貫通した内軸２４ｂを有している。このうち、外軸２４ａは、水槽４内に位置して、上端部に回転槽８（外槽８ａ）の底部の中心部を取付けている。又、内軸２４ｂは、外槽８ａ及び内槽８ｂの各通口１２，１３を通って内槽８ｂ内に位置し、その上端部に撹拌体２５を取付けている。
【００１６】
なお、撹拌体２５は複数の通孔２６を有している。又、モータ２４内には図示しないクラッチ機構が存し、このクラッチ機構によって、上記外軸２４ａと内軸２４ｂの回転、ひいては回転槽８と撹拌体２５の回転を選択的に行うようにしている。更に、水槽４の内底部には、回転槽８における外槽８ａの通口１２から前記第１の排水口１６にかけて排水路２７を、水槽４の他の内部と水密に隔絶して設けている。
【００１７】
そして、排水路２７の先端部である第１の排水口１６上方の部分から水槽４の上部にかけては、空気循環路２８を設けている。この空気循環路２８の先端部２８ａは、水槽４の揺動に追従し得る例えば蛇腹状の可撓性ある構成であり、これを水槽４の上端開口縁部に装着した槽カバー２９を気密に貫通させて水槽４内、ひいては回転槽８（内槽８ｂ）内に臨ませている。なお、槽カバー２９は環状で、その中央の開口部には内蓋３０を開閉可能に設けている。
【００１８】
空気循環路２８には、その上部の途中部に、送風機３１とヒータ３２とを設けている。このうち、送風機３１は、空気循環路２８を通して回転槽８（内槽８ｂ）内の空気を矢印で示すように循環させるもので、ヒータ３２はその循環空気を加熱するものであり、これらによって温風が生成され、この温風が回転槽８（内槽８ｂ）内に供給される。従って、空気循環路２８と送風機３１及びヒータ３２は、回転槽８内に温風を供給する温風供給装置３３を構成するものである。
【００１９】
しかして、前記トップカバー３の前部には操作パネル３４を設けると共に、制御装置３５を内設し、後部に給水弁３６を内設している。この給水弁３６は、水路を第１の給水路３７と第２の給水路３８とについて切換える切換弁であり、そのうちの第１の給水路３７の先端部を、図示しないが、前記槽カバー２９を通して回転槽８（内槽８ｂ）内に臨ませ、第２の給水路３８の先端部を、同じく槽カバー２９を通して水槽４と回転槽８との間に臨ませている。
【００２０】
前記制御装置３５は、洗濯乾燥機の作動全般を制御する制御手段たるものであり、例えばマイクロコンピュータを中心に構成している。この制御装置３５には、図３に示すように、各種操作スイッチ３９から各種操作信号が入力されるようになっている。各種操作スイッチ３９は、前記操作パネル３４に存在している。このほか、制御装置３５には、前記回転槽８内の水位を検知するように設けた水位センサ４０から水位検知信号が入力され、図示しない外蓋の開閉を検知するように設けた蓋スイッチ４１から蓋開閉検知信号が入力され、更に、回転槽８内の温度（気温、水温）を検知するように設けた温度センサ４２から温度検知信号が入力されるようになっている。
【００２１】
そして、それらの入力信号とあらかじめ記憶された制御プログラムに基づいて、制御装置３５は、操作パネル３４に設けた各種表示器４３の作動を制御すると共に、前記外蓋を閉鎖状態にロックするように設けた蓋ロック装置の例えば電磁石等の駆動源４４と、前記給水弁３６の同じく電磁石等の駆動源４５、前記第１の排水弁１８の例えばギヤードモータ等の駆動源４６、前記第２の排水弁１８の同じくギヤードモータ等の駆動源４７、前記モータ２４、前記温風供給装置３３のヒータ３２、前記送風機３１のモータ等の駆動源４８、及び前記ヒータ１５を、駆動回路４９を介して駆動制御するようにしている。
【００２２】
次に、上記構成のものの作用を述べる。
図４には、制御装置３５が「洗濯運転」から「乾燥運転」を順に実行する「標準コース」の運転内容を示しており、そのうちの「洗濯運転」は、「洗い」と、「一次脱水」、「第１すすぎ」、「第２すすぎ」、「最終脱水」の行程を順に実行するようになっている。
【００２３】
更に、そのうちの「洗い」行程は、「給水」と、「撹拌」、「排水」の動作を順に実行するようになっており、その「給水」動作は、操作パネル３４に存在するスタートスイッチが操作されることに基づき、第１の排水弁１８を閉鎖させた状態で、給水弁３６の第１の給水路３７側を開放させることにより、該第１の給水路３７を通じ回転槽８（内槽８ｂ）内に洗濯水を供給するものである。
【００２４】
この「給水」動作で供給された洗濯水は、内槽８ｂの通口１３、外槽８ａの通口１２を順に通り、排水路２７内に至って該排水路２７内を満たした後、外槽８ａ及び内槽８ｂ内に漸次貯留される。そして、それら外槽８ａ及び内槽８ｂ内に適量の洗濯水が貯留されると、水位センサ４０から出力される水位検知信号に基づいて、給水弁３６（第１の給水路３７）が閉鎖され、給水を終了する。
【００２５】
「撹拌」動作は、「給水」動作の終了近くから、撹拌体２５をモータ２４により正逆両方向に交互に回転させることによって、あらかじめ回転槽８（内槽８ｂ）内に入れられた洗濯物を、同じくあらかじめ回転槽８（内槽８ｂ）内に入れられた洗剤を含む洗濯水と共に撹拌するものであり、「排水」動作は、第１の排水弁１８を開放させることによって、回転槽８（外槽８ａ、内槽８ｂ）内の洗濯水を排水路２７から第１の排水弁１８及び排水ホース１９を順に通じて機外に排出するものである。
【００２６】
「一次脱水」行程は、「排水」動作の終了近くから、第２の排水弁２０を開放させた状態で、回転槽８をモータ２４により一方向に回転させることによって、洗濯物に染み残った洗濯水を遠心力により内槽８ｂの通孔１０から振り切り、更に外槽８ａの脱水孔９から振り切るもので、その脱水孔９から振り切られた水は、水槽４の内周側面で受けられて該水槽４の内周側面を流下し、そして水槽４の第２の排水口１７から第２の排水弁２０、連通管２１を順に通じ、更に排水ホース１９を通じて機外に排出される。
【００２７】
「第１すすぎ」行程における「給水」と、「撹拌」、「排水」、及び「脱水」の動作は、そのうちの「撹拌」で洗濯水に洗剤を含まないこと以外、図１にも示すように、上述の「洗い」行程における「給水」と、「撹拌」、「排水」の動作、及び「一次脱水」行程と同様に行う。
「第２すすぎ」行程における「給水」と、「撹拌」、「排水」、及び「脱水」の動作も、「洗い」行程における「給水」と、「撹拌」、「排水」の動作、及び「一次脱水」行程と同様に行う。
【００２８】
たゞし、この「第２すすぎ」行程における「給水」動作では、「第１すすぎ」における「給水」動作よりも多めの給水をする。そして、この「第２すすぎ」行程における「撹拌」動作時には、「給水」動作の終了近くから、ヒータ１５を発熱させることにより、回転槽８内の洗濯水を加熱し温水化する（例えば３０℃位まで）。これによって、洗濯物の温度が上げられる。又、回転槽８の温度も上げられ、洗濯物のすすぎも効果的に行われる。
【００２９】
更に、この「第２すすぎ」行程における「脱水」動作時には、「排水」動作の終了近くから、温風供給装置３３の送風機３１を作動させると共にヒータ３２を発熱させる。これにより、空気循環路２８内で温風が生成され、この温風が回転槽８（内槽８ｂ）内に供給される。この回転槽８（内槽８ｂ）内に供給された温風は、該回転槽８（内槽８ｂ）内の洗濯物と接触してこれを温めた後、内槽８ｂの通孔１０から内槽８ｂ外（内槽８ｂと外槽８ａとの間）に出、又、一部は撹拌体２５の通孔２６から内槽８ｂの通口１３を通って同じく内槽８ｂ外（内槽８ｂと外槽８ａとの間）に出て、これらが外槽８ａの通口１２から排水路２７を通り空気循環路２８に吸入される。そして、その空気循環路２８内でヒータ３２により加熱されて再び温風化され、回転槽８（内槽８ｂ）内に供給される（洗濯物を温める）循環が行われる。
【００３０】
「最終脱水」行程は、回転槽８の回転速度を上げると共に回転時間を長くすること以外、「第２すすぎ」行程における「脱水」動作と同様に行われる。従って、この場合には、温風供給装置３３で生成した温風を回転槽８（内槽８ｂ）内に供給することにより洗濯物を温めることも行われる。
【００３１】
以上の洗濯運転に続いて、「乾燥運転」では、モータ２４により回転槽８を一方向に低速で回転させながら、温風供給装置３３の送風機３１を作動させると共にヒータ３２を発熱させる。すなわち、回転槽８（内槽８ｂ）内に温風を供給する。更に、この場合、第１の排水弁１８を開放させると共に、第２の排水弁２０を閉鎖させた状態で、給水弁３６の第２の給水路３８側を開放させる。
【００３２】
すると、給水弁３６からは、第２の給水路３８を通じて、水槽４と回転槽８との間に給水がなされる。この水槽４と回転槽８との間に供給された水は、第１の排水弁１８が排水路２７によって水槽４と回転槽８との間から水密に隔絶されると共に、第２の排水弁２０が閉鎖されているので、水槽４と回転槽８との間に溜まり、その水位を上げる。そして、その水位が溢水口２２に達してからは、連続する給水により溢水口２２を越える分が溢水口２２から溢出され、溢水管２３から連通管２１を通じ、更に排水ホース１９を通じて機外に排水される。
【００３３】
かくして、水槽４と回転槽８との間には、連続給水による冷水が溢水口２２までの水位で貯留され続け、その水によって回転槽８の外槽８ａが冷却される。従って、回転槽８（内槽８ｂ）内に供給された温風は、内槽８ｂの通孔１０から内槽８ｂ外（内槽８ｂと外槽８ａとの間）に出て外槽８ａの内周側面に沿い流下する過程で、外槽８ａの周側部に接触して冷却されるものであり、これによって、該温風が回転槽８内の洗濯物から奪った湿気が凝縮されて露と化し、除湿される。
【００３４】
従って、この場合、給水弁３６から第２の給水路３８及び溢水口２２、溢水管２３は、空気循環路２８を通じて循環される回転槽８内の空気を冷却して除湿する冷却手段として機能する。なお、その除湿により生じた露は、外槽８ａの内周側面を流下して外槽８ａの通口１２から排水路２７を通り、第１の排水弁１８及び排水ホース１９を順に通じて機外に排出される。
【００３５】
又、この折り、上述のように排出される露と別れて空気循環路２８に吸入された空気は、その空気循環路２８を通る過程で、空気循環路２８外の空気により冷却された該空気循環路２８の周側部と接触して冷却されるものであり、これによっても、温風が回転槽８内の洗濯物から奪った湿気が凝縮されて露と化し、除湿される。従って、この場合は、空気循環路２８外の空気が空気循環路２８を通じて循環される回転槽８内の空気を冷却して除湿する冷却手段として機能する。そして、その除湿により生じた露は、空気循環路２８の内周側面を流下して、上記第１の排水口１６から第１の排水弁１８及び排水ホース１９を順に通じて機外に排出される。
【００３６】
以上の運転を続けることにより洗濯物を乾燥させ、その乾燥運転が終わると、回転槽８の回転と、温風供給装置３３のヒータ３２の発熱が終了し、給水弁３３（第２の給水路３８）と第１の排水弁１８とが閉鎖されて、第２の排水弁２０が開放される。これにより、水槽４と回転槽８との間に貯留された水が、第２の排水弁２０から連通管２１を通じ、更に排水ホース１９を通じて機外に排出される。そして、その後、温風供給装置３３の送風機３１の作動が終了した後、第２の排水弁２０が閉鎖される。
【００３７】
加えて、制御装置３５が実行するコースには、以上の、「洗濯運転」から「乾燥運転」を順に実行する「標準コース」のほかに、「乾燥運転」を省略又は短時間で実行する「短縮コース」が存在する。しかして、この「短縮コース」においても、洗濯運転は「標準コース」のそれと同様に実行するもので、更に、その「最終脱水」行程直前の「第２すすぎ」行程におけるヒータ１５による洗濯水の加熱も、「標準コース」のそれと同様に実行し、該「第２すすぎ」行程における「脱水」動作時の温風供給装置による温風の供給も、「標準コース」のそれと同様に実行するようにしている。
【００３８】
このように本構成のものでは、回転槽８内に貯留される洗濯水を加熱するヒータ１５を具え、そのヒータ１５による洗濯水の加熱を、「洗濯運転」から「乾燥運転」を順に実行する「標準コース」の、「最終脱水」行程直前の「第２すすぎ」行程において実行するようにしている。このものによれば、その「最終脱水」行程直前の「第２すすぎ」行程において、上記ヒータ１５により洗濯水を加熱することで生成される温水により洗濯物の温度が上げられ、回転槽８内の温度も上げられる。
【００３９】
よって、その後の乾燥（乾燥運転）では、洗濯物の温度を上げることと、回転槽８内の温度を上げることとに、時間を費やすことがなくなり、洗濯物の乾燥が効率良くできるようになる。又、乾燥前の脱水（「第２すすぎ」行程における「脱水」動作と、「最終脱水」行程）も、洗濯物の温度と回転槽８内の温度が上がった分、洗濯物からの水分の蒸発が盛んになって、効率良くできるようになり、これらによって、洗濯乾燥機における乾燥所要時間を短縮することができる。これに伴い、特に冬季等で給水温度が低い場合でも、洗濯乾燥機における乾燥運転の時間を必要以上に長くしないようにできるので、乾燥運転での布傷みを低減することも可能となる。
【００４０】
又、上述の「標準コース」に対し、「乾燥運転」を省略又は短時間で実行するコースを有し、「最終脱水」行程直前のすすぎ行程における前記ヒータ１５による洗濯水の加熱を、そのコースにおいても実行するようにしている。このものでは、コースで「乾燥運転」が省略又は短時間でしか実行されないから、洗濯物は室内又は屋外で干して乾燥させることになる。しかし、そのコースにおいても、「最終脱水」行程直前の「第２すすぎ」行程において、ヒータ１５により洗濯水を加熱することで生成される温水により洗濯物の温度が上げられ、その後の脱水も効率良くできるようになるので、上記室内又は屋外での洗濯物の乾燥時間を短縮することができる。又、冬季等では、洗濯乾燥機から洗濯物を取出すときに、洗濯物が冷たくなく、取出しやすくできる。
【００４１】
そして、上記両コースにおいて、温風供給装置３３による温風の供給を、「最終脱水」行程直前の「第２すすぎ」行程における「脱水」動作時に実行するようにもしている。このものでは、更に、「最終脱水」行程直前の「第２すすぎ」行程における「脱水」動作時に、温風供給装置３３によって回転槽８内に供給される温風によって洗濯物が温められることにより、洗濯物の温度が高く維持され、回転槽８内の温度も高く維持されるので、その後の乾燥が一段と効率良くできるようになり、又、脱水自体も一段と効率良くできるようになって、洗濯乾燥機における乾燥時間、又は室内又は屋外での洗濯物の乾燥時間を一層短縮することができる。加えて、この場合も、冬季等では、洗濯乾燥機から洗濯物を取出すときに、洗濯物が一層冷たくなく、更に取出しやすくできる。
【００４２】
以上に対して、図５ないし図７は本発明の第２実施例を示すもので、第１実施例と同一の部分には同一の符号を付して説明を省略し、異なる部分についてのみ述べる。このものの場合、図５に示すように、洗濯乾燥機をほゞ横軸形のドラム式としている。
【００４３】
図５において、外箱５１の内部に、水槽５２を、複数組（１組のみ図示）のサスペンション５３によって横軸状で且つ前上がり（図中左上がり）の傾斜状に弾性支持し、この水槽５２の内部に、回転槽であるドラム５４を水槽５２と同軸状（横軸状で且つ前上がりの傾斜状）に配設している。
【００４４】
水槽５２の背部（図中右側）から上部にかけては、水槽５２内の空気を循環させる空気循環路５５を設けており、この空気循環路５５にも、途中部（上部）に送風機５６とヒータ５７とを配設している。送風機５６は、水槽５２内の空気、ひいてはドラム５４内の空気を空気循環路５５を通じて矢印Ａで示すように循環させるもので、ヒータ５７は、その循環される空気を加熱するものであり、これらによって温風が生成され、この温風が水槽５２（ドラム５４）内に供給される。従って、空気循環路５５と送風機５６及びヒータ５７は、ドラム５４内に温風を供給する温風供給装置５８を構成するものである。
【００４５】
空気循環路５５に対しては又、その上方に注水弁５９を設けており、この注水弁５９から注水チューブ６０を通じて供給される水を、空気循環路５５内で散水器６１により矢印Ｂで示すように散水させて落下させ、この落下する水により、空気循環路５５内を上方へ通されるドラム５４内の空気を冷却して除湿するようになっている。従って、この場合、注水弁５９から注水チューブ６０及び散水器６１は、空気循環路５５を通じて循環される水槽５２内の空気を冷却して除湿する冷却手段として機能するものである。
【００４６】
そして更に、水槽５２の背部には、モータ６２（アウターロータ形）を取付け、このモータ６２の回転軸６２ａにドラム５４を取付けており、このドラム５４の回転により、洗濯物の洗濯（洗い、すすぎ）と、脱水、そして乾燥を行うようにしている（ドラム５４内に撹拌体は存在しない）。
【００４７】
又、モータ６２の後方に突出した回転軸６２ａの後端部には、第２除湿ファン６３を取付けており、これによって水槽５２を冷却する風を矢印Ｆで示すように生起し、それにより水槽５２内の空気を冷却して除湿するようにしている。
なお、第２除湿用ファン６３が生起した風は、水槽５２を冷却するだけでなく、モータ６２をも冷却し、更に、水槽５２内から出た直後の湿気を多く帯びた空気が通る空気循環路５５の背部部分にも行き渡ってこれを冷却するものでもあり、もって、第２除湿ファン６３は除湿性能を一段と高める冷却手段として機能する。
【００４８】
更に、このドラム式の洗濯乾燥機において、６４は外箱５１の前面部に形成した洗濯物出入口、６５は洗濯物出入口６４を開閉する扉、６６は洗濯物出入口６４と水槽５２内とを連ねるベロー、６７は水槽５２内から排水する排水弁、６８は排水ホース、６９は水槽５２内の洗濯水を加熱するヒータ、７０はドラム５４の内周部に設けたバッフル、７１は水槽５２内に注水するための注水ケース、７２は注水ケース７１を通じて水槽５２内にもっぱら風呂の残り湯を供給する給水ポンプを示しており、このほか、図示はしないが注水ケース７１を通じて水槽５２（ドラム５４）内に水道水を供給する給水弁等も存している。
【００４９】
一方、図６には、洗濯乾燥機の操作パネル７３を示している。この操作パネル７３には、スタートスイッチなどの各種操作スイッチ７４に加えて、「すすぎ加熱」スイッチ７５及びその表示ランプ７６を設けている。この「すすぎ加熱」スイッチ７５は、「最終脱水」行程直前の「第２すすぎ」行程におけるヒータ６９による洗濯水の加熱（以下、「すすぎ加熱」）を実行するか否かを選択する選択スイッチを構成するもので、この「すすぎ加熱」スイッチ７５を押す毎に、表示ランプ７６が点灯／消灯し、設定が変更される。表示ランプ７６が点灯している場合には、「すすぎ加熱」を実行することを示し、表示ランプ７６が消灯している場合には、「すすぎ加熱」を実行しないことを示す。
【００５０】
以上の構成で、第１実施例とほぼ同様な行程制御をするものであるが、この第２実施例においては、上記第１実施例とは次の点が異なっている。
【００５１】
すなわち、図７に示すように、「すすぎ加熱」（「最終脱水」行程直前の「第２すすぎ」行程におけるヒータ６９による洗濯水の加熱）を実行する場合において、当該「すすぎ加熱」直前の「脱水」動作時（「第１すすぎ」の「脱水」動作時）には、「排水」動作の終了近くから、温風供給装置５８の送風機５６を作動させると共にヒータ５７を発熱させる。これにより、空気循環路５６内で温風が生成され、この温風がドラム５４内に供給され、ドラム５４及び内部の洗濯物が温められる。
【００５２】
このような第２実施例においては、「すすぎ加熱」直前の「脱水」動作時と、「すすぎ加熱」直後の「脱水」動作時との双方において、温風供給装置５８によりドラム５４内に温風を供給するようにしている。これにより、「すすぎ加熱」の効果と合わせて、その後の乾燥を一層効率良く行うことができ、乾燥時間を一層短縮することが可能となる。
【００５３】
尚、「すすぎ加熱」直前の「脱水」動作の直後に「給水」動作が行われるため、その給水温度が低い場合には、脱水時に温められたドラム５４及び洗濯物の温度も低下することになるが、その脱水時に温風の供給を行わない場合よりは、それらの温度低下を抑えることができる。
【００５４】
又、操作パネル７３に「すすぎ加熱」スイッチ７５を設けていて、「すすぎ加熱」を実行するか否かを、使用者がその「すすぎ加熱」スイッチ７５により選択することができるから、「すすぎ加熱」を、使用者が必要であると判断したときには行い、不要であると判断したときには行わないようにでき、使い勝手が良い。
【００５５】
このほか、本発明は上記し且つ図面に示した実施例にのみ限定されるものではなく、下記の変更が可能である。
回転槽（ドラム）内には、給湯設備から給湯弁を通じて給湯するようにしても良い。このものの場合には、「最終脱水」行程直前の「第２すすぎ」行程における「給水」動作時に給湯をすることにより、「撹拌」動作時のヒータによる洗濯水の加熱時間を短縮することができる。
【００５６】
又、洗濯運転の「最終脱水」行程における温風の供給は、乾燥時間の短縮に一層効果を奏するものであるが、必ずしも必要なものではない。
更に、乾燥運転は、除湿を空気循環路だけで行うものであっても良く、更に除湿せずに温風を回転槽内に供給するだけであっても良い。
そのほか、本発明は上記し且つ図面に示した実施例にのみ限定されるものではなく、要旨を逸脱しない範囲内で適宜変更して実施し得る。
【００５７】
【発明の効果】
以上説明したように、本発明の洗濯乾燥機によれば、ヒータによる洗濯水の加熱を、最終脱水行程直前のすすぎ行程における撹拌動作時に実行するようにしたことによって、乾燥時間を短縮することができる。又、それに加え、温風供給装置による温風の供給を、最終脱水行程直前のすすぎ行程における脱水動作時に実行するようにしたことにより、乾燥時間を一層短縮することができる。
温風供給装置による温風の供給を、前記ヒータによる洗濯水の加熱直前のすすぎ行程における脱水動作時に実行するようにしても、乾燥時間を一層短縮することが可能となる（請求項２の発明）。
【図面の簡単な説明】
【図１】本発明の第１実施例を示すタイムチャート
【図２】全体の破断側面図
【図３】電気的構成のブロック図
【図４】標準コースの行程図
【図５】本発明の第２実施例を示す図２相当図
【図６】操作パネルの正面図
【図７】図１相当図
【符号の説明】
４は水槽、８は回転槽、１５はヒータ、３３は温風供給装置、５２は水槽、５４はドラム（回転槽）、５８は温風供給装置、６９はヒータ、７５は「すすぎ加熱」スイッチ（選択スイッチ）を示す。
【図１】
0003880881.tif 000002
【図２】
0003880881.tif 000003
【図３】
0003880881.tif 000004
【図４】
0003880881.tif 000005
【図５】
0003880881.tif 000006
【図６】
0003880881.tif 000007
【図７】
0003880881.tif 000008